(57)【要約】【課題】ノイズ音出力の要因となる信号がオーディオ処理部に供給されることを効果的に回避できるオーディオ処理装置をすることにある。【解決手段】インタフェースＩＦ１〜ＩＦｓにボードＢＤ１〜ＢＤｍ，ＢＤｓが装着されていないオーディオ処理部２２＿１〜２２＿ｍおよび合成部２３に対応する操作ボタンが操作された場合、モニタ部２４は、入力したＬオーディオ信号とＲオーディオ信号とのＬＳＢの値の不一致を検出し、入力したオーディオ信号のオーディオ処理を自動的に停止する。これにより、不適切なオーディオ信号Ｓ２４がモニタスピーカ３０に出力されることを防止する。【選択図】  図２
2005005933.tif 000002
【特許請求の範囲】
【請求項１】
右チャンネルの第１のオーディオ信号と、左チャンネルのオーディオ信号であって前記第１のオーディオ信号と所定のビットの値が異なる第２のオーディオ信号とを予め決められた周期で各々が出力するｎ（ｎは２以上の整数）個の第１のオーディオ処理手段と、
前記ｎ個の第１のオーディオ処理手段のうち選択された前記第１のオーディオ処理手段と、第２のオーディオ処理手段とを接続状態にする接続手段と、
前記接続手段を介して接続された前記第１のオーディオ信号処理手段から入力した前記第１のオーディオ信号および前記第２のオーディオ信号の前記所定のビットを比較し、当該所定のビットが相互に異なる値を持つことを条件に、前記入力した前記第１のオーディオ信号および前記第２のオーディオ信号の処理を行う前記第２のオーディオ処理手段と
を有するオーディオ処理装置。
【請求項２】
前記第１のオーディオ処理手段は、第１の基準信号によって規定される第１の周期内で前記第１の基準信号のｎ倍の周波数の第２の基準信号によって規定される複数の第２の周期のうち予め割当てられた前記第２の周期において、前記第１のオーディオ信号と前記第２のオーディオ信号とをそれぞれ１回づつ出力する
請求項１に記載のオーディオ処理装置。
【請求項３】
前記第２のオーディオ処理手段は、前記入力した前記第１のオーディオ信号および前記第２のオーディオ信号のモニタ処理を行う
請求項１または請求項２に記載のオーディオ処理装置。
【請求項４】
前記第２のオーディオ処理手段は、
前記接続手段を介して前記第１のオーディオ信号処理手段から入力した前記第１のオーディオ信号および前記第２のオーディオ信号の前記所定のビットを比較する比較部と、
前記第１のオーディオ信号および前記第２のオーディオ信号の処理を行うオーディオ処理部と、
前記比較部の比較結果を基に前記所定のビットが相互に異なる値を持つ場合に、前記入力した前記第１のオーディオ信号および前記第２のオーディオ信号を前記オーディオ処理部の処理に供給する切換部と
を有する請求項１〜３のいずれかに記載のオーディオ処理装置。
【請求項５】
前記オーディオ処理部は、前記第１のオーディオ信号および前記第２のオーディオ信号を処理して生成したオーディオ信号をスピーカに出力する
請求項４に記載のオーディオ処理装置。
【発明の詳細な説明】
【０００１】
【発明の属する技術分野】
本発明は、オーディオ信号のモニタ処理などを行うオーディオ処理装置に関する。
【０００２】
【従来の技術】
例えば、入力したオーディオ信号に対して増幅や合成などの種々のオーディオ処理を施して放送用のオーディオ信号を生成する音声調整卓などのオーディオ処理装置がある。
このようなオーディオ処理装置は、上述した種々のオーディオ処理を個別に行う複数のオーディオ処理部と、これらのオーディオ処理部のうち操作者の操作によって選択したオーディオ処理部からのオーディオ信号を入力し、モニタ処理してモニタスピーカに出力するモニタ部とを有している。
ところで、上述したオーディオ処理部の各々は、例えば、ボードとして実現され、オーディオ処理装置が備えるスロットに当該ボードを装着することで、オーディオ処理装置に組み込まれる。モニタ部は、例えば、パラレルバスなどの切換部を介して上記スロットに接続されている。
そして、上記操作者の操作に応じて、オーディオ処理部を実現するボードが装着されるスロットとモニタ部とが切換部によって接続される。
【０００３】
【発明が解決しようとする課題】
しかしながら、従来では、例えば、操作者の操作によって選択されたオーディオ処理部のボードがスロットに装着されていない場合でも、切換部によって当該スロットとモニタ部とが接続されてしまう。
そのため、モニタ部に、適切なオーディオ信号が入力されず、モニタスピーカから大きなノイズ音が出力されてしまうという問題がある。
【０００４】
本発明はかかる事情に鑑みてなされたものであり、その目的は、ノイズ音出力の要因となる信号がオーディオ処理部に供給されることを効果的に回避できるオーディオ処理装置を提供することにある。
【０００５】
【課題を解決するための手段】
上記の目的を達成するため、本発明のオーディオ処理装置は、右チャンネルの第１のオーディオ信号と、左チャンネルのオーディオ信号であって前記第１のオーディオ信号と所定のビットの値が異なる第２のオーディオ信号とを予め決められた周期で各々が出力するｎ（ｎは２以上の整数）個の第１のオーディオ処理手段段と、前記ｎ個の第１のオーディオ処理手段のうち選択された前記第１のオーディオ処理手段と、第２のオーディオ処理手段とを接続状態にする接続手段と、前記接続手段を介して接続された前記第１のオーディオ信号処理手段から入力した前記第１のオーディオ信号および前記第２のオーディオ信号の前記所定のビットを比較し、当該所定のビットが相互に異なる値を持つことを条件に、前記入力した前記第１のオーディオ信号および前記第２のオーディオ信号の処理を行う前記第２のオーディオ処理手段とを有する。
【０００６】
本発明のオーディオ処理装置の作用は以下のようになる。
接続手段が、ｎ個の第１のオーディオ処理手段のうち選択された前記第１のオーディオ処理手段と、第２のオーディオ処理手段とを接続状態にする。
前記第１のオーディオ処理手段が上記接続状態の場合には、前記接続手段を介して、当該第１のオーディオ処理手段から第２のオーディオ処理手段に、右チャンネルの第１のオーディオ信号と、左チャンネルのオーディオ信号であって前記第１のオーディオ信号と所定のビットの値が異なる第２のオーディオ信号とを予め決められた周期で出力される。
そして、第２のオーディオ処理手段が、入力した前記第１のオーディオ信号および前記第２のオーディオ信号の前記所定のビットを比較し、当該所定のビットが相互に異なる値を持つため、当該入力した前記第１のオーディオ信号および前記第２のオーディオ信号の処理を行う。
一方、記第１のオーディオ処理手段が非接続状態の場合には、第２のオーディオ処理手段は、上述した第１のオーディオ信号および第２のオーディオ信号を入力せず、入力した信号の上記所定のビットを比較した結果、当該所定のビットが同じ値を持ち、当該入力した信号の処理は行わない。
【０００７】
本発明のオーディオ処理装置は、好ましくは、前記第１のオーディオ処理手段は、第１の基準信号によって規定される第１の周期内で前記第１の基準信号のｎ倍の周波数の第２の基準信号によって規定される複数の第２の周期のうち予め割当てられた前記第２の周期において、前記第１のオーディオ信号と前記第２のオーディオ信号とをそれぞれ１回づつ出力する。
また、本発明のオーディオ処理装置は、好ましくは、前記第２のオーディオ処理手段は、前記入力した前記第１のオーディオ信号および前記第２のオーディオ信号のモニタ処理を行う。
【０００８】
また、本発明のオーディオ処理装置は、好ましくは、前記第２のオーディオ処理手段は、前記接続手段を介して前記オーディオ信号処理手段から入力した前記第１のオーディオ信号および前記第２のオーディオ信号の前記所定のビットを比較する比較部と、前記第１のオーディオ信号および前記第２のオーディオ信号の処理を行うオーディオ処理部と、前記比較部の比較結果を基に前記所定のビットが相互に異なる値を持つ場合に、前記入力した前記第１のオーディオ信号および前記第２のオーディオ信号を前記オーディオ処理部の処理に供給する切換部とを有する。
また、本発明のオーディオ処理装置は、好ましくは、前記オーディオ処理部は、前記第１のオーディオ信号および前記第２のオーディオ信号を処理して生成したオーディオ信号をスピーカに出力する。
【０００９】
【発明の実施の形態】
以下、本発明の実施形態に係わるオーディオ処理装置について説明する。
図１は、本発明の実施形態に係わるオーディオ処理装置１の構成図である。
図１に示すように、オーディオ処理装置１は、例えば、接続部２１、オーディオ処理部２２＿１〜２２＿ｍ、合成部２３、モニタ部２４および操作部２５を有する。
ここで、オーディオ処理装置１が本発明のオーディオ処理装置に対応し、接続部２１が本発明の接続手段に対応し、オーディオ処理部２２＿１〜２２＿ｍおよび合成部２３が本発明の第１のオーディオ処理手段に対応し、モニタ部２４が本発明の第２のオーディオ処理手段に対応している。
オーディオ処理装置１は、モニタ部２４に特徴を有し、操作部２５によって選択されたオーディオ処理部２２＿１〜２２＿ｍおよび合成部２３を実現するボードがオーディオ処理装置１に適切に装着されているか否かをモニタ部２４が自動的に検出し、当該ボードが装着されていることを条件に、これらのオーディオ信号のモニタ処理を行う。
【００１０】
接続部２１は、再生／入力装置１０＿１〜１０＿ｓから入力したオーディオ信号Ｓ１０＿１〜Ｓ１０＿ｓと、オーディオ処理部２２＿１〜２２＿ｍから入力したオーディオ信号Ｓ２２＿１〜Ｓ２２＿ｍと、合成部２３から入力した合成信号Ｓ２０とを入力し、これらのうち単数または複数の信号を操作部２５からの操作信号Ｓ２５を基に選択して、オーディオ処理部２２＿１〜２２＿ｍおよびモニタ部２４のいずれかに出力する。ここで、ｓ，ｍは１以上の任意の整数である。
再生／入力装置１０＿１〜１０＿ｓは、オーディオ信号Ｓ１０＿１〜Ｓ１０＿ｓの各々として、ＬＳＢが論理値「１」（第１の論理値）を示す左チャンネル用のオーディオ信号（以下、Ｌオーディオ信号とも記す）と、ＬＳＢが論理値「０」（第２の論理値）を示す右チャンネル用のオーディオ信号（以下、Ｒオーディオ信号とも記す）を生成し、これらを接続部２１に出力する。
接続部２１は、例えば、図２に示すように、パラレルバス５０を用いて実現される。
【００１１】
オーディオ処理部２２＿１〜２２＿ｍは、例えば、それぞれ接続部２１から入力したオーディオ信号Ｓ２１＿１〜Ｓ２１＿ｍにレベル調整（増幅処理）などのオーディオ処理を行ってオーディオ信号Ｓ２２＿１〜Ｓ２２＿ｍを生成し、これを接続部２１および合成部２３に出力する。
ここで、オーディオ処理部２２＿１〜２２＿ｍは、図３（Ｄ）に示すように、オーディオ信号Ｓ２１＿１〜Ｓ２１＿ｍの各々として、ＬＳＢが論理値「１」を示す左チャンネル用のＬオーディオ信号（１−Ｌ）〜（ｍ−Ｌ）と、ＬＳＢが論理対「０」を示す右チャンネル用のＲオーディオ信号（１−Ｒ）〜（ｍ−Ｒ）とを生成する。
Ｌオーディオ信号（１−Ｌ）〜（ｍ−Ｌ）が本発明の第１のオーディオ信号に対応し、Ｒオーディオ信号（１−Ｒ）〜（ｍ−Ｒ）が本発明の第２のオーディオ信号に対応している。
【００１２】
合成部２３は、入力したオーディオ信号Ｓ２２＿１〜Ｓ２２＿ｍを合成して合成信号Ｓ２０を生成する。
合成部２３は、合成信号Ｓ２０を放送出力に供給すると共に、接続部２１に出力する。
ここで、合成部２３は、合成信号Ｓ２０として、ＬＳＢが論理値「１」を示す左チャンネル用のＬオーディオ信号（ｓ−Ｌ）と、ＬＳＢが論理値「０」を示す右チャンネル用のＲオーディオ信号（ｓ−Ｒ）とを生成する。
【００１３】
本実施形態では、オーディオ処理装置１は、図２に示すように、ボード装着用のインタフェースＩＦ１〜ＩＦｍ，ＩＦｓ，ＩＦｔを有し、これらが備えるスロットにそれぞれボードＢＤ１〜ＢＤｍ，ＢＤｓ，ＢＤｔを装着することで、それぞれオーディオ処理部２２＿１〜２２＿ｍ、合成部２３およびモニタ部２４の機能を組み込む。
接続部２１は、操作信号Ｓ２５を基に選択したオーディオ処理部２２＿１〜２２＿ｍおよび合成部２３のボードＢＤ１〜ＢＤｍおよびＢＤｓが装着されるインタフェースＩＦ１〜ＩＦｍおよびＩＦｓと、モニタ部２４のインタフェースＩＦｔとを、パラレルバス５０を介して接続状態にする。
一方、接続部２１は、操作信号Ｓ２５を基に選択しないオーディオ処理部２２＿１〜２２＿ｍおよび合成部２３のボードＢＤ１〜ＢＤｍおよびＢＤｓが装着されるインタフェースＩＦ１〜ＩＦｍおよびＩＦｓと、モニタ部２４のインタフェースＩＦｔとを、パラレルバス５０を介して非接続状態にする。
【００１４】
また、オーディオ処理装置１は、図２に示すように、クロック生成部４９を有し、クロック生成部４９で生成した図３（Ｂ）に示すクロック信号ＬＲＣＬＫ（本発明の第２の基準信号）を各構成要素に出力すると共に、図３（Ａ）に示すクロック信号ＰＡＲＣＬＫ（本発明の第１の基準信号）を接続部２１に出力する。
本実施形態では、クロック信号ＬＲＣＬＫは、例えば、クロック信号ＰＡＲＣＬＫのｎ（ｎ＝ｍ＋１）倍の周波数を有している。
クロック信号ＰＡＲＣＬＫの周波数は、例えば、４８ｋＨｚであり、一般的には、クロック信号ＬＲＣＬＫはその２Ｓ（Ｓは１以上の整数）倍の相当の周波数を有している。
【００１５】
オーディオ処理部２２＿１〜２２＿ｍおよび合成部２３の各々は、図３（Ｃ）に示すように、クロック信号ＰＡＲＣＬＫによって規定される第１の周期Ｔ１（本発明の第１の周期）内で、クロック信号ＬＲＣＬＫによって規定される複数の第２の周期Ｔ２（本発明の第２の周期）のうち予め割当てられた第２の周期Ｔ２において、前述したＬオーディオ信号（１−Ｌ）〜（ｍ−Ｌ），（ｓ−Ｌ）とＲオーディオ信号（１−Ｒ）〜（ｍ−Ｒ），（ｓ−Ｒ）とをそれぞれ１回づつ接続部２１のパラレルバス５０に出力する。
【００１６】
モニタ部２４は、接続部２１を介してオーディオ処理部２２＿１〜２２＿ｍおよび合成部２３から入力したオーディオ信号を構成するＬオーディオ信号とＲオーディオ信号との所定ビット（例えば、ＬＳＢ）を比較し、当該所定ビットが異なる値を持つことを条件に、当該入力したオーディオ信号のモニタ処理を行う。
図４は、モニタ部２４の構成図である。
なお、図４では、モニタ部２４がオーディオ処理部２２＿１からオーディオ信号Ｓ２２＿１（Ｌオーディオ信号（１−Ｌ）、Ｒオーディオ信号（１−Ｒ））を入力する場合を説明している。
図４に示すように、モニタ部２４は、例えば、比較部７１、スイッチ７２，７３、Ｌチャンネル信号処理部７４およびＲチャンネル信号処理部７５を有する。
ここで、比較部７１が本発明の比較部に対応し、スイッチ７２，７３が本発明の切換部に対応し、Ｌチャンネル信号処理部７４およびＲチャンネル信号処理部７５が本発明のオーディオ処理部に対応している。
【００１７】
比較部７１は、クロック信号ＬＲＣＬＫを基に、第２の周期Ｔ２毎に、入力したオーディオ信号を構成するＬオーディオ信号（１−Ｌ）〜（ｍ−Ｌ），（ｓ−Ｌ）とＲオーディオ信号（１−Ｒ）〜（ｍ−Ｒ），（ｓ−Ｒ）とのＬＳＢを比較し、当該ＬＳＢが異なる値を持つ場合に、接続状態を示す切換信号Ｓ７１Ｌ，Ｓ７１Ｒをそれぞれスイッチ７２，７３に出力する。
本実施形態では、図２に示すボードＢＤ１〜ＢＤｍ，ＢＤｓがインタフェースＩＦ１〜ＩＦｍ，ＩＦｓに装着されている場合に、それぞれ入力したＬオーディオ信号（１−Ｌ）〜（ｍ−Ｌ），（ｓ−Ｌ）のＬＳＢは論理値「１」を示し、入力したＲオーディオ信号（１−Ｒ）〜（ｍ−Ｒ），（ｓ−Ｒ）のＬＳＢは論理値「０」を示す。そのため、比較部７１は、接続状態を示す切換信号Ｓ７１Ｌ，Ｓ７１Ｒをそれぞれスイッチ７２，７３に出力する。
【００１８】
一方、比較部７１は、上記ＬＳＢが同じ値を持つ場合に、非接続状態を示す切換信号Ｓ７１Ｌ，Ｓ７１Ｒをそれぞれスイッチ７２，７３に出力する。
本実施形態では、図２に示すボードＢＤ１〜ＢＤｍ，ＢＤｓがインタフェースＩＦ１〜ＩＦｍ，ＩＦｓに装着されていない場合に、それぞれ入力したＬオーディオ信号（１−Ｌ）〜（ｍ−Ｌ），（ｓ−Ｌ）のＬＳＢは論理値と入力したＲオーディオ信号（１−Ｒ）〜（ｍ−Ｒ），（ｓ−Ｒ）のＬＳＢは同じ論理値を示す。そのため、比較部７１は、非接続状態を示す切換信号Ｓ７１Ｌ，Ｓ７１Ｒをそれぞれスイッチ７２，７３に出力する。
【００１９】
スイッチ７２は、切換信号Ｓ７１Ｌが接続状態を示すことを条件に、入力したＬオーディオ信号（１−Ｌ）〜（ｍ−Ｌ），（ｓ−Ｌ）をＬチャンネル信号処理部７４に出力する。
スイッチ７３は、切換信号Ｓ７１Ｒが接続状態を示すことを条件に、入力したＲオーディオ信号（１−Ｒ）〜（ｍ−Ｒ），（ｓ−Ｒ）をＲチャンネル信号処理部７５に出力する。
【００２０】
Ｌチャンネル信号処理部７４は、スイッチ７２を介して入力したＬオーディオ信号（１−Ｌ）〜（ｍ−Ｌ），（ｓ−Ｌ）にオーディオ処理を行ってＬオーディオ信号Ｓ２４Ｌを生成し、これをモニタスピーカ３０に出力する。
Ｒチャンネル信号処理部７５は、スイッチ７３を介して入力したＲオーディオ信号（１−Ｒ）〜（ｍ−Ｒ），（ｓ−Ｒ）にオーディオ処理を行ってＲオーディオ信号Ｓ２４Ｒを生成し、これをモニタスピーカ３０に出力する。
ここで、Ｌオーディオ信号Ｓ２４ＬとＲオーディオ信号Ｓ２４Ｒとによってモニタ信号Ｓ２４が構成される。
【００２１】
図４に示すように、オーディオ処理部２２＿１は、例えば、Ｌチャンネル信号処理部６１、Ｒチャンネル信号処理部６２、出力部６３および出力部６４を有する。
オーディオ処理部２２＿２〜２２＿ｍは、基本的にオーディオ処理部２２＿１と同じ構成を有している。
Ｌチャンネル信号処理部６１は、接続部２１から入力したオーディオ信号Ｓ２１＿１のＬオーディオ信号Ｓ２１＿１Ｌにオーディオ処理を行ってＬオーディオ信号（１−Ｌ）を生成し、これを出力部６３に出力する。
Ｒチャンネル信号処理部６２は、接続部２１から入力したオーディオ信号Ｓ２１＿１のＲオーディオ信号Ｓ２１＿１Ｒにオーディオ処理を行ってＲオーディオ信号（１−Ｒ）を生成し、これを出力部６４に出力する。
【００２２】
出力部６３は、クロック信号ＬＲＣＬＫを基に、図３（Ｃ）に示すように、予め割り当てられた第２の周期Ｔ２内にオーディオ信号（１−Ｌ）を接続部２１のパラレルバス５０に出力する。
出力部６４は、クロック信号ＬＲＣＬＫを基に、図３（Ｃ）に示すように、予め割り当てられた第２の周期Ｔ２内にオーディオ信号（１−Ｒ）を接続部２１のパラレルバス５０に出力する。
【００２３】
操作部２５は、例えば、操作パネルなどであり、ユーザによる操作パネルの操作に応じた操作信号Ｓ２５を接続部２１、オーディオ処理部２２＿１〜２２＿ｍ、合成部２３およびモニタ部２４に出力し、これらを制御する。
操作部２５は、例えば、オーディオ処理部２２＿１〜２２＿ｍが１５個の場合、すなわちｍ＝１５の場合、図５に示すように、オーディオ処理部２２＿１〜２２＿ｍおよび合成部２３のそれぞれに対応した１６個の操作ボタンＢ１〜Ｂ１５，Ｂ２３を有している。
操作部２５は、ユーザによって操作された操作ボタンＢ１〜Ｂ１５，Ｂ２３に対応したオーディオ処理部２２＿１〜２２＿ｍおよび合成部２３を選択することを示す操作信号Ｓ２５を接続部２１に出力する。
【００２４】
以下、上述したオーディオ処理装置１の動作例を説明する。
図６は、上述したオーディオ処理装置１の動作例を説明するためのフローチャートである。
〔第１の動作例〕
当該動作例では、図４に示すように、インタフェースＩＦ１にボードＢＤ１が装着され、オーディオ処理部２２＿１からのオーディオ信号（１−Ｌ），（１−Ｒ）が接続部２１で選択されてモニタ部２４に入力された場合を説明する。
ステップＳＴ１：
接続部２１が、ユーザによる図５に示す操作ボタンＢ１の操作により、インタフェースＩＦ１とモニタ部２４とをパラレルバス５０を介して接続状態にする。
ステップＳＴ２：
オーディオ処理部２２＿１が、オーディオ信号Ｓ２２＿１を構成するＬオーディオ信号（１−Ｌ）およびＲオーディオ信号（１−Ｒ）を生成し、これを接続部２１に出力する。
これにより、Ｌオーディオ信号（１−Ｌ）およびＲオーディオ信号（１−Ｒ）が、接続部２１のパラレルバス５０を介してモニタ部２４に出力される。
【００２５】
ステップＳＴ３：
モニタ部２４の比較部７１は、クロック信号ＬＲＣＬＫを基に、入力したＬオーディオ信号（１−Ｌ）とＲオーディオ信号（１−Ｒ）とのＬＳＢを比較する。
そして、比較部７１は、上記ＬＳＢが異なる値を示す場合に、接続状態を示す切換信号Ｓ７１Ｌ，Ｓ７１Ｒをそれぞれスイッチ７２，７３に出力し、ステップＳＴ４の処理に進む。
一方、比較部７１は、上記ＬＳＢが同じ値を示す場合に、非接続状態を示す切換信号Ｓ７１Ｌ，Ｓ７１Ｒをそれぞれスイッチ７２，７３に出力し、ステップＳＴ５の処理に進む。
本動作例では、ボードＢＤ１がインタフェースＩＦ１に装着されているため、Ｌオーディオ信号（１−Ｌ）とＲオーディオ信号（１−Ｒ）とのＬＳＢは異なる値を示し、比較部７１は、接続状態を示す切換信号Ｓ７１Ｌ，Ｓ７１Ｒをそれぞれスイッチ７２，７３に出力し、ステップＳＴ４の処理に進む。
【００２６】
ステップＳＴ４：
Ｌチャンネル信号処理部７４は、スイッチ７２を介して入力したＬオーディオ信号（１−Ｌ）にオーディオ処理を行ってＬオーディオ信号Ｓ２４Ｌを生成し、これをモニタスピーカ３０に出力する。
Ｒチャンネル信号処理部７５は、スイッチ７３を介して入力したＲオーディオ信号（１−Ｒ）にオーディオ処理を行ってＲオーディオ信号Ｓ２４Ｒを生成し、これをモニタスピーカ３０に出力する。
【００２７】
〔第２の動作例〕
当該動作例では、図４に示すように、インタフェースＩＦ１にボードＢＤ１が装着されていない状態で、ユーザによる図５に示す操作ボタンＢ１の操作により、インタフェースＩＦ１とモニタ部２４とがパラレルバス５０を介して接続状態になった場合を説明する。
この場合には、ステップＳＴ１の処理に続いて、ステップＳＴ２の処理を行わずに、ステップＳＴ３の処理が行われる。
モニタ部２４の比較部７１は、ステップＳＴ３において、クロック信号ＬＲＣＬＫを基に、入力したＬオーディオ信号（１−Ｌ）とＲオーディオ信号（１−Ｒ）とのＬＳＢが同じ値を示す（一致する）と判断し、非接続状態を示す切換信号Ｓ７１Ｌ，Ｓ７１Ｒをそれぞれスイッチ７２，７３に出力する。
これにより、スイッチ７２，７３が非接続状態になり、モニタ部２４のＬチャンネル信号処理部７４およびＲチャンネル信号処理部７５には、Ｌオーディオ信号（１−Ｌ）とＲオーディオ信号（１−Ｒ）は供給されず、これらに対応するオーディオ信号Ｓ２４Ｌ，Ｓ２４Ｒはモニタスピーカ３０に出力されない（ステップＳＴ４）。
【００２８】
以上説明したように、オーディオ処理装置１によれば、インタフェースＩＦ１〜ＩＦｓに装着されていないオーディオ処理部２２＿１〜２２＿ｍおよび合成部２３に対応する図５に示す操作ボタンＢ１〜Ｂ１５，Ｂ２３が操作された場合でも、図４に示す比較部７１およびスイッチ７２，７３によって、パラレルバス５０とＬチャンネル信号処理部７４およびＲチャンネル信号処理部７５との間が自動的に非接続状態になる。
そのため、不適切な信号がＬチャンネル信号処理部７４およびＲチャンネル信号処理部７５に入力され、それによって得られたＬオーディオ信号Ｓ２４ＬおよびＲオーディオ信号Ｓ２４Ｒがモニタスピーカ３０に出力されることはなく、モニタスピーカ３０からノイズ音が出力されることを効果的に回避できる。
【００２９】
本発明は上述した実施形態には限定されない。
例えば、図１に示すオーディオ処理部２２＿１〜２２＿ｍおよび合成部２３の全部あるいは一部に、図４に示す前述した比較部７１およびスイッチ７２，７３を備えてもよい。
【００３０】
【発明の効果】
本発明によれば、ノイズ音出力の要因となる信号がオーディオ処理されて出力されることを効果的に回避できるオーディオ処理装置を提供することができる。
【図面の簡単な説明】
【図１】図１は、本発明の実施形態に係わるオーディオ処理装置の構成図である。
【図２】図２は、図１に示すオーディオ処理部をオーディオ処理装置に組み込む構成、並びに切換部の構成を説明するための図である。
【図３】図３は、図２に示す各信号のタイミングを示す図である。
【図４】図４は、図１に示すオーディオ処理部およびモニタ部の構成図である。
【図５】図５は、図２に示す操作部を構成する操作ボタンを説明するための図である。
【図６】図６は、図１に示すオーディオ処理装置の動作例を説明するためのフローチャートである。
【符号の説明】
１…オーディオ処理装置、１０＿１〜１０＿ｓ…再生／入力装置、２１…接続部、２２＿１〜２２＿ｍ…オーディオ処理部、２３…合成部、２４…モニタ部、２５…操作部、３０…モニタスピーカ、４９…クロック生成部、５０…パラレルバス、６１…Ｌチャンネル信号処理部、６２…Ｒチャンネル信号処理部、６３…出力部、６４…出力部、７１…比較部、７２…スイッチ、７３…スイッチ、７４…Ｌチャンネル信号処理部、７５…Ｒチャンネル信号処理部
【図１】
2005005933.tif 000003
【図２】
2005005933.tif 000004
【図３】
2005005933.tif 000005
【図４】
2005005933.tif 000006
【図５】
2005005933.tif 000007
【図６】
2005005933.tif 000008